(57)【要約】      （修正有）【課題】開ける力が軽くて閉める力が重いという二段式効果を備え、かつ加工が簡単、製造コストが低いという利点を有するノートブック型コンピュータ用二段式枢軸を提供する。【解決手段】ノートブック型コンピュータ用二段式枢軸のスプリングチューブはプレス加工によって作られるので、加工が容易、コストが低い利点があり、回し軸がスプリングチューブに相対して回され、それが閉められた場合は定位締め付けの機能があり、開けられた場合は回し軸の回しの摩擦力を増強し、同時に前記定位片は前記ブッシュの当て部の当て付けを受け、より大きな角度の開けを行うことができず、ディスプレーの不正常な開けによって生じる損傷と失敗を防ぐことができる。更に回し軸とスプリングチューブの特殊形状によって形成された不均一の摩擦力を用い、開ける力が軽い、閉める力が重い二段式効果を達成することができる。【選択図】図２
0003135911.tif 000002
【実用新案登録請求の範囲】
【請求項１】
ノートブック型コンピュータ用二段式枢軸であって、固定端と枢接端を備える本体と；回転不能の方式をもって前記本体の枢接端に取り付けてあるブッシュと；
前記ブッシュに嵌め付けられると共に、底面と二つの壁面を備える主体と、前記主体に嵌め付けられて摩擦孔と二つの継ぎ目を形成すると共に、前記本体に対して少々突っ張って開けるカバーとを備えるスプリングチューブと；固定端と、二つの平面と二つの円弧面とを形成し、前記スプリングチューブの摩擦孔に取り付けてある枢転端とを備える回し軸と；からなり、前記枢転端が前記スプリングチューブに取り付けられ、それが蓋で閉じられた場合、前記枢転端の二つの平面は前記スプリングチューブの主体の底面とカバーに平らに貼り付けられる一方、それが開けられた場合、前記回し軸は枢転されて前記円弧面を当初の平面に平らに貼り付けた底面とカバーに対応して、継ぎ目を突っ張って開けて摩擦による位置決めを達成し、かつ前記回し軸と前記スプリングチューブ間の不均一な摩擦力を介して開けるときは力が軽く、閉めるときは力が重いという二段式効果を達成することを特徴とする、ノートブック型コンピュータ用二段式枢軸。
【請求項２】
前記スプリングチューブの主体と前記カバーはプレスによって製作され、前記主体はＵ字型を呈し、前記二つの壁面にはそれぞれ軸方向に嵌め付け部が延伸され、前記ブッシュ内には二つの嵌め部が設けられ、前記嵌め付け部を嵌め部に取り付けると、前記スプリングチューブと前記ブッシュとは相対して回転することができなくなり、前記二つの壁面には径方向にそれぞれ嵌め溝が設けられ、前記カバーのボッディ部両側には、径方向にそれぞれ嵌め部が延伸され、前記嵌め部は嵌め溝に嵌め付けられ、前記カバーが主体を蓋で閉じた場合、前記スプリングチューブに形成される摩擦孔は四角孔の形状を呈し、前記回し軸を四角孔の摩擦孔に取り付けると不均一な摩擦力が形成され、開けるときは力が軽く、閉めるときは力が重いという二段式効果が達成され、前記枢転端は径方向に平行に複数現れ、油を蓄えて潤滑の効果を提供する環溝が設けられてあることを特徴とする、請求項１記載のノートブック型コンピュータ用二段式枢軸。
【請求項３】
前記回し軸には定位片が取り付けられ、前記定位片には制限片が延伸され、前記定位片は前記回し軸によって制限され、前記定位片には二つの定位部が設けられ、前記ブッシュには制限部が設けられ、前記制限部には当て部が突き出して設けられ、前記回し軸が開けの位置に枢転された場合、前期定位片は前記ブッシュの制限部の当て部に定位されて回し軸の回転を制限することを特徴とする、請求項1記載のノートブック型コンピュータ用二段式枢軸。
【考案の詳細な説明】
【技術分野】
【０００１】
本考案はノートブック型コンピュータの部品に係り、特にノートブック型コンピュータを開ける力が軽く、かつ閉じる力が重い二段式効果を確実に提供することができ、しかも加工が容易、製造コストが低いという長所を備えたノートブック型コンピュータの枢軸に関する。
【背景技術】
【０００２】
ノートブック型コンピュータを開く場合、常に二つの問題が存在しており、枢軸がやや硬い場合、ディスプレー(display)は開きにくく、片手でディスプレーを支え、他の手で本体を支えなければ、ディスプレーを開くと本体が一緒に付き上がってしまう。枢軸がやや緩んだ場合、開きやすいが定位しにくい問題が生じる。
【０００３】
中国特許第CN2821654Y号「ノートブック型コンピュータに運用される回し軸の構造」を参照されたい。前記回し軸の構造は金属材質のC形環状に表れ、液晶ディスプレーモジュール(display
module)が逆方向に環状体の欠け口個所で回ると、回し軸が回るときは環状体の欠け口個所に支点がないので摩擦力がなく、相対的に捻り値も小さくなり、そのために液晶ディスプレーモジュールは省力的に開けることができ、液晶ディスプレーモジュールを閉める場合は環状体の欠け口個所に向かって回るので、回し軸と環状体の摩擦力は大きくなり、相対的に捻り値も大きくなってしまい、液晶ディスプレーモジュールを閉めるには大きな力が必要である。
【０００４】
周知の回し軸は環状体の欠け口の設置だけにより、摩擦の多少によって定位の効能を制御し、有効かつ精確な定位を行うことができなく、かつこの種の面と面の摩擦は時間が長くなると、双方の金属は絶えない磨耗を経て、摩擦定位の効能が磨耗によって消失してしまう。そのために前記回し軸を軽やかに開けて、確実に定位状態に止めることを提供することができなく、上記欠点に鑑み、本考案の考案者は如何にして回し部材を確実精確に定位させ、かつ高品質の要求に達することに対して絶えなく試験と考案を経た後、遂にこのノートブック型コンピュータ用二段式枢軸を創造し、これによって周知の各種未解決技術的問題を改善する。
【特許文献１】中国特許第CN2821654Y号
【考案の開示】
【考案が解決しようとする課題】
【０００５】
本考案に係る『ノートブック型コンピュータ用二段式枢軸』が解決しようとする技術的課題は、従来の回し軸は確実に定位することができなく、長く使用すると疲労が発生しやすいので、確かに改善する必要があることである。
【課題を解決するための手段】
【０００６】
本考案に係る『ノートブック型コンピュータ用二段式枢軸』は本体が含まれ、それにはブッシュが取り付けられ、ブッシュには更にスプリングチューブが取り付けられ、スプリングチューブはカバーと主体を備え、前記主体には底面と二つの壁面を備え、カバーは主体に嵌め付けられて摩擦孔と二つの継ぎ目を形成し、継ぎ目はカバーを本体に相対して少々突っ張り開くことができる。回し軸は固定端と枢転端を備え、枢転端は二つの平面と二つの円弧面を形成し、枢転端は前記スプリングチューブの摩擦孔に取り付けられ、枢転端が前記スプリングチューブに取り付けられ、それが蓋をされた場合、前記枢転端の二つの平面は前記スプリングチューブの主体の底面とカバーに平らに貼り付け、それを開ける場合、回し軸は枢転されて前記円弧面を本来平面に平らに貼り付けた底面とカバーに対応して継ぎ目を突っ張り開けて摩擦定位を達成し、かつ回し軸とスプリングチューブ間の不均一な摩擦力を用いて開けるときは力が軽く、閉めるときは力が重い二段式効果を達成する。
【考案の効果】
【０００７】
本考案には下記のような効果がある。
１．本考案に係る『ノートブック型コンピュータ用二段式枢軸』のスプリングチューブはプレス加工によって作られるので、加工が容易、コストが低い利点がある。
２．本考案に係る『ノートブック型コンピュータ用二段式枢軸』はノートブック型コンピュータがちょうど開けられたとき、省力的に開けることができ、ディスプレーが開けられたとき、やや大きな摩擦力によって定位することができる。
３．本考案に係る『ノートブック型コンピュータ用二段式枢軸』は二段式定位によって容易に開けられ、かつ安定に定位する効能が提供される。
４．本考案に係る『ノートブック型コンピュータ用二段式枢軸』は定位片とブッシュの制限部により、回し軸が開けられた場合は開けの位置に制限される。
【考案を実施するための最良の形態】
【０００８】
図１と図２は本考案のノートブック型コンピュータ用二段式枢軸の第一実施例を示す説明図である。本考案には本体10、ブッシュ20、スプリングチューブ30、回し軸40と定位片50が含まれる。本体10の外観はL字形に近似し、それの一端は固定端11で、他の一端は枢接端12である。
【０００９】
前記ブッシュ20は一字型に現れ、一端は噛合い端21で前記本体10の枢接端12に取り付けられ、かつ前記本体10に噛み合う。前記ブッシュ20の別の一端は制限端22で収容孔221が設けられ、制限端22の末端には制限部222が設けられ、制限部222には当て部223が突き出して設けられ、収容孔221の内部には二つの嵌め部224が形成されてある。
【００１０】
前記スプリングチューブ30には主体31とカバー32が備えられ、主体31はU字型に現れて二つの壁面311と底面312が形成され、二つの壁面311の軸方向の一端にはそれぞれ嵌め付け部313が突き出し、両壁面311の径方向にはそれぞれ嵌め溝314が設けられてある。カバー32のボッディ部両側の径方向位置にはそれぞれ嵌め部321が延伸され、嵌め部321は嵌め溝314内に嵌め付けられ、カバー32は主体31に取り付けられて四角孔に現れる摩擦孔33と、カバー32と主体31が接合して形成する二本の継ぎ目34を形成する。前記スプリングチューブ30は二つである主体31とカバー32から組み合わせられ、それは加工が容易である長所があり、プレス加工によって製造コストを下げることができる。
【００１１】
前記回し軸40の一端は固定端41で、他の一端は枢転端42であり、枢転端42の棒身には二つの相対する円弧面421と二つの相対する平面422が含まれ、また前記枢転端42は径方向に二つの平行する環溝423が設けられ、環溝423は油貯めとして潤滑の効果を提供する。
【００１２】
前記回し軸40の枢転端42は定位片50に取り付けられ、それから前記スプリングチューブ30に取り付けられる。前記定位片50には孔51が設けられ、定位片50から制限片52が延伸され、制限片52の両側は前記定位片50から二つの定位部53が突き出して設けられてある。
【００１３】
図３から図６は本考案の回し軸40がスプリングチューブ30内に取り付けられた場合を示す説明図である。前記本体10の枢接端12は前記ブッシュ20に取り付けられ、前記ブッシュ20の制限端22の収容孔221には前記スプリングチューブ30が取り付けられ、前記スプリングチューブ30の嵌め付け部313は前記ブッシュ20の嵌め部224に嵌め付けられ、前記スプリングチューブ30と前記ブッシュ20が相対して回転できないように制限する。
【００１４】
前記スプリングチューブ30の摩擦孔33は前記回し軸40の枢転端42に取り付けられ、前記回し軸40の平面422は前記スプリングチューブ30の主体31の底面312とカバー32に対応し、回し軸40の円弧面421は前記スプリングチューブ30の主体31の両壁面311に対応する。
【００１５】
前記回し軸40は定位片50に取り付けられ、定位片50の制限片52は前記回し軸40に定位され、前記ブッシュ20の制限部222は定位片50の定位部53に当て付けられ、前記当て部223によって前記回し軸40の枢転の角度を制限し、前記定位部53が前記当て部223に当て付けていることを用い、前記回し軸40はある特定の角度だけ枢転できる。
【００１６】
図７から図９は本考案の回し軸40がスプリングチューブ30に相対して回る場合を示す説明図である。前記回し軸40が前記スプリングチューブ30に取り付けられた場合、回し軸40の平面422は前記スプリングチューブ30の主体31の底面312とカバー32に対応し、この場合、前記スプリングチューブ30と前記ブッシュ20は相対して回ることができない。
【００１７】
回し軸40が枢転すると、円弧面421の円弧度によって傾斜した角度の回しが得られ、円弧面421は容易に枢転することができ、円弧面421が本来平面422と接触する底面312とカバー32に当て付けることを用い、前記カバー32と前記主体31の間には継ぎ目34が形成されてあるので、継ぎ目34は回し軸40を容易にスプリングチューブ30内で回ることができ、底面312とカバー32は当て付けによって外へ張り出すことができ、前記スプリングチューブ30は前記回し軸40の当て付けによって外へ拡張し、それと同時に前記スプリングチューブ30は内へ挟む力を備えるので、前記回し軸40を挟みつかむ。回し軸40が0度から10度に開けられた場合、開けの力は軽いである。回し軸40が全開の約135度から10度までに閉められた場合、閉める力は重いである。これは回し軸40とスプリングチューブ30間の不均一な摩擦力を用い、開ける力が軽く、閉める力が重い二段式効果を達成するものである。
【００１８】
回し軸40が枢転した場合、前記定位片50の定位部53は前記ブッシュ20の当て部223に当て付け、前記回し軸40の枢転角度を制限する。
【００１９】
本考案のスプリングチューブはプレス加工によって作られるので、加工が容易、コストが低い利点があり、回し軸がスプリングチューブに相対して回り、それが閉めの状態である場合は定位締め付けの機能があり、開けの場合は回し軸の回しの摩擦力を増強し、同時に前記定位片は前記ブッシュの当て部の当て付けを受け、より大きな角度の開けを行うことができないので、ディスプレーの不正常な開けによって生じる損傷と失敗を防ぐことができる。本考案はノートブック型コンピュータを開け始めたとき、省力的に開けることができ、定位位置の場合、より大きい摩擦力を提供してディスプレーを定位することができる。また回し軸は定位片によってブッシュの制限部の当て部と組み合わせ、回し軸が開けのときは当て部に制限され、開けの位置に制限される。
【図面の簡単な説明】
【００２０】
【図１】本考案の立体外観図
【図２】本考案の立体分解図
【図３】図１における3−3断面線に沿って取った断面図
【図４】図１における4−4断面線に沿って取った断面図
【図５】図１における5−5断面線に沿って取った断面図
【図６】図１における6−6断面線に沿って取った断面図
【図７】回し軸の枢転を示す本考案の立体外観図である。
【図８】図７における回し軸の回し状況を示す説明図である。
【図９】図７における定位片の定位を示す説明図である。
【符号の説明】
【００２１】
10    本体
11    固定端
12    枢接端
20    ブッシュ
21    噛合い端
22    制限端
221   収容孔
222   制限部
223   当て部
224   嵌め部
30    スプリングチューブ
31    主体
311   壁面
312   底面
313   嵌め付け部
314   嵌め溝
32    カバー
321   嵌め部
33    摩擦孔
34    継ぎ目
40    回し軸
41    固定端
42    枢転端
421   円弧面
422   平面
423   環溝
50    定位片
51    孔
52    制限片
53    定位部
【図１】
0003135911.tif 000003
【図２】
0003135911.tif 000004
【図３】
0003135911.tif 000005
【図４】
0003135911.tif 000006
【図５】
0003135911.tif 000007
【図６】
0003135911.tif 000008
【図７】
0003135911.tif 000009
【図８】
0003135911.tif 000010
【図９】
0003135911.tif 000011